(57)【特許請求の範囲】
【請求項１】
現在地から目的地へ至る経路を表示装置に表示させる表示制御装置であって、
記憶部に記憶された経路情報に含まれる、交通機関への乗降動作および乗り換え動作を含む移動動作に基づいて算出される、上記経路の経路案内の複雑さを示す評価値である表示情報量を算出する表示情報量算出部と、
上記経路の経路案内の上記表示情報量が所定の閾値未満である場合、当該経路案内の詳細情報を表示する第１表示装置の画面を非表示にする第１表示制御部と、
上記表示情報量が所定の閾値未満である場合、上記第１表示装置よりも消費電力の少ない第２表示装置に、上記詳細情報の一部の内容を簡略に示す簡易情報を表示させる第２表示制御部と、を備えることを特徴とする表示制御装置。
【請求項２】
現在地から目的地へ至る経路を表示装置に表示させる表示制御装置であって、
記憶部に記憶された経路情報に含まれる、交通機関への乗降動作および乗り換え動作を含む移動動作に基づいて算出される、上記経路の経路案内の複雑さを示す評価値である表示情報量を算出する表示情報量算出部と、
上記経路の経路案内の上記表示情報量が所定の閾値未満である場合、当該経路案内の詳細情報を表示する第１表示装置の画面を非表示にする第１表示制御部と、
上記表示情報量が所定の閾値未満である場合、上記第１表示装置よりも小画面の第２表示装置に、上記詳細情報の一部の内容を簡略に示す簡易情報を表示させる第２表示制御部と、を備えることを特徴とする表示制御装置。
【請求項３】
上記第１表示制御部は、上記表示情報量が上記所定の閾値以上である場合、上記第１表示装置に上記経路案内の詳細情報を表示させることを特徴とする、請求項１または２に記載の表示制御装置。
【請求項４】
上記簡易情報は、上記経路案内のうち、目的地に向かうための移動動作のみを示す情報であることを特徴とする、請求項１〜３のいずれか１項に記載の表示制御装置。
【請求項５】
上記第２表示制御部は、上記経路案内が行われていない期間は、上記第２表示装置の画面を非表示にすることを特徴とする、請求項１〜４のいずれか１項に記載の表示制御装置。
【請求項６】
請求項１〜５のいずれか１項に記載の表示制御装置と、
上記第１表示装置と、
上記第２表示装置と、を含むことを特徴とする情報処理装置。
【請求項７】
現在地から目的地へ至る経路を表示装置に表示させる表示制御装置の表示制御方法であって、
記憶部に記憶された経路情報に含まれる、交通機関への乗降動作および乗り換え動作を含む移動動作に基づいて算出される、上記経路の経路案内の複雑さを示す評価値である表示情報量を算出する表示情報量算出ステップと、
上記経路の経路案内の上記表示情報量が所定の閾値未満である場合、当該経路案内の詳細情報を表示する第１表示装置の画面を非表示にする第１表示制御ステップと、
上記表示情報量が所定の閾値未満である場合、上記第１表示装置よりも消費電力の少ない第２表示装置に、上記詳細情報の一部の内容を簡略に示す簡易情報を表示させる第２表示制御ステップと、を含むことを特徴とする表示制御方法。
【請求項８】
現在地から目的地へ至る経路を表示装置に表示させる表示制御装置の表示制御方法であって、
記憶部に記憶された経路情報に含まれる、交通機関への乗降動作および乗り換え動作を含む移動動作に基づいて算出される、上記経路の経路案内の複雑さを示す評価値である表示情報量を算出する表示情報量算出ステップと、
上記経路の経路案内の上記表示情報量が所定の閾値未満である場合、当該経路案内の詳細情報を表示する第１表示装置の画面を非表示にする第１表示制御ステップと、
上記表示情報量が所定の閾値未満である場合、上記第１表示装置よりも小画面の第２表示装置に、上記詳細情報の一部の内容を簡略に示す簡易情報を表示させる第２表示制御ステップと、を含むことを特徴とする表示制御方法。
【請求項９】
請求項１に記載の表示制御装置としてコンピュータを機能させるための制御プログラムであって、上記第１表示制御部、上記第２表示制御部、および上記表示情報量算出部としてコンピュータを機能させるための制御プログラム。
【請求項１０】
請求項２に記載の表示制御装置としてコンピュータを機能させるための制御プログラムであって、上記第１表示制御部、上記第２表示制御部、および上記表示情報量算出部としてコンピュータを機能させるための制御プログラム。
【発明の詳細な説明】
【技術分野】
【０００１】
本発明は、ユーザに目的地までの経路を案内する経路案内装置の表示制御装置などに関する。
【背景技術】
【０００２】
従来から、現在地、またはユーザが設定した目的地などを地図の画像として表示装置に表示させる機能や、現在地から目的地までの経路を算出しこれを表示装置に表示することにより、ユーザを当該経路に沿って目的地まで誘導する（経路案内する）機能を備えた経路案内装置が開発されている。また、上述のような経路案内装置では、画像の表示に係る消費電力を抑制するための技術が種々開発されている。例えば特許文献１には、経路案内時でユーザが画面を見ていない場合は表示装置の画面表示をＯＦＦにすることにより消費電力を抑制する技術が開示されている。
【先行技術文献】
【特許文献】
【０００３】
【特許文献１】特開２００８−２９２７５３号公報（２００８年１２月４日公開）
【特許文献２】特開２０１３−  ４７６３１号公報（２０１３年  ３月７日公開）
【特許文献３】特開２００８−２９２１９０号公報（２００８年１２月４日公開）
【発明の概要】
【発明が解決しようとする課題】
【０００４】
しかしながら、特許文献１に記載の技術では、経路案内中でユーザが画面を見ている間の消費電力は経路案内の開始前と同等であった。換言すると、特許文献１に記載の技術では、経路案内中に必ずしも消費電力を抑制できるとは限らなかった。
【０００５】
本発明は上記問題点に鑑みたものであり、その目的は、経路案内表示に係る消費電力を抑制することが可能な表示制御装置などを提供することにある。
【課題を解決するための手段】
【０００６】
上記の課題を解決するために、本発明の一態様に係る表示制御装置は、現在地から目的地へ至る経路を表示装置に表示させる表示制御装置であって、上記経路の経路案内の詳細情報を表示する第１表示装置の画面を非表示にする第１表示制御部と、上記第１表示装置の画面が非表示であるときに、上記第１表示装置よりも消費電力の少ない第２表示装置に、上記詳細情報の一部の内容を簡略に示す簡易情報を表示させる第２表示制御部と、を備えることを特徴とする。
【０００７】
また、上記の課題を解決するために、本発明の一態様に係る表示制御装置は、現在地から目的地へ至る経路を表示装置に表示させる表示制御装置であって、上記経路の経路案内の表示情報量が所定の閾値未満である場合、当該経路案内の詳細情報を表示する第１表示装置の画面を非表示にする第１表示制御部と、上記表示情報量が所定の閾値未満である場合、上記第１表示装置よりも消費電力の少ない第２表示装置に、上記詳細情報の一部の内容を簡略に示す簡易情報を表示させる第２表示制御部と、を備えることを特徴とする。
【０００８】
また、上記の課題を解決するために、本発明の一態様に係る表示制御装置は、現在地から目的地へ至る経路を表示装置に表示させる表示制御装置であって、上記経路の経路案内の詳細情報を表示する第１表示装置の画面を非表示にする第１表示制御部と、上記第１表示装置の画面が非表示であるときに、上記第１表示装置よりも小画面の第２表示装置に、上記詳細情報の一部の内容を簡略に示す簡易情報を表示させる第２表示制御部と、を備えることを特徴とする。
【０００９】
また、上記の課題を解決するために、本発明の一態様に係る表示制御装置は、現在地から目的地へ至る経路を表示装置に表示させる表示制御装置であって、上記経路の経路案内の表示情報量が所定の閾値未満である場合、当該経路案内の詳細情報を表示する第１表示装置の画面を非表示にする第１表示制御部と、上記表示情報量が所定の閾値未満である場合、上記第１表示装置よりも小画面の第２表示装置に、上記詳細情報の一部の内容を簡略に示す簡易情報を表示させる第２表示制御部と、を備えることを特徴とする。
【発明の効果】
【００１０】
本発明の一態様によると、経路案内表示に係る消費電力を抑制することが可能になるという効果を奏する。
【図面の簡単な説明】
【００１１】
【図１】本発明の第１の実施形態に係る経路案内装置の要部構成を示すブロック図である。
【図２】上記経路案内装置をロボットで実現した例を示す図である。
【図３】上記経路案内装置をスマートフォンで実現した例を示す図である。
【図４】上記経路案内装置に備えられた第１および第２表示装置の画面表示の一例を示す図である。図４の（ａ）は、経路検索が完了しており、かつ経路案内の開始前である場合の第１および第２表示装置の表示画面を示し、図４の（ｂ）は、経路案内の開始後かつ表示情報量が閾値以下である場合の第１および第２表示装置の表示画面を示す。
【図５】上記経路案内装置の制御部の処理の流れを示すフローチャートである。
【図６】本発明の第２の実施形態に係る経路案内装置の要部構成を示すブロック図である。
【図７】上記経路案内装置に備えられた第１および第２表示装置の表示画面の一例を示す図である。図７の（ａ）は経路案内の開始前、図７の（ｂ）は経路案内の開始後で、ユーザが第２表示装置を見ている場合、図７の（ｃ）は、経路案内の開始後でユーザが第２表示装置を見ていない場合の第１および第２表示装置の画面を示す図である。
【図８】上記経路案内装置の制御部の処理の流れを示すフローチャートである。
【発明を実施するための形態】
【００１２】
始めに、本発明に係る経路案内装置（情報処理装置）の機能概要について説明する。本発明に係る経路案内装置は、ユーザまたは自装置が設定した現在地および目的地に応じて経路案内を行う装置である。なお、「経路案内」とは、現在地から目的地に到着するために必要な移動動作（直進、右折、左折、交通機関への乗降、交通機関の乗り換えなど）を順次提示することにより、ユーザを目的地に誘導することを意味する。
【００１３】
経路案内装置は、経路案内に係る情報を表示するための２つの表示装置（第１表示装置および第２表示装置）と、表示装置を制御する表示制御装置とを備えている。第１表示装置は、第２表示装置に比べ大画面または消費電力の多い表示装置である。逆に、第２表示装置は、第１表示装置に比べ小画面または消費電力の少ない表示装置である。また、詳細は後述するが、第１表示装置は経路案内を詳細に表示し、第２表示装置は経路案内を第１表示装置よりも簡易に表示する。経路案内装置はこれら第１表示装置および第２表示装置の画面の表示および非表示を適宜切り替える機能を備えており、当該機能を用いて上記経路案内の際にユーザに必要な情報を必要な分提示する。なお、第１表示装置および第２表示装置が表示する情報の具体例、ならびに第１表示装置および第２表示装置の画面の表示および非表示の切替えについては後で詳述する。
【００１４】
また、第２表示装置は第１表示装置に比べ、小画面かつ消費電力の少ない表示装置であることがより好ましい。以降では、第２表示装置は第１表示装置に比べ小画面かつ消費電力の少ない表示装置であることとして説明を行う。
【００１５】
〔実施形態１〕
≪要部構成≫
以下、本発明の第１の実施形態について、図１〜５を参照して説明する。始めに、経路案内装置１の要部構成について説明する。図１は、本実施形態に係る経路案内装置１の要部構成を示すブロック図である。経路案内装置１は図示の通り、入力部２０と、ＧＰＳ受信機３０と、第１表示装置４０と、第２表示装置５０と、ＲＡＭ６０と、ＲＯＭ７０と、制御部（表示制御装置）１０とを含む。
【００１６】
入力部２０はユーザの入力操作を受け付けるものである。入力部２０は受け付けた入力操作を示す情報（入力情報）を制御部１０の指示検出部１１に送信する。ＧＰＳ受信機３０は、後述するＧＰＳ制御部１２の制御に従って現在地の位置情報（緯度および経度の座標値）を算出するものである。ＧＰＳ受信機３０は複数のＧＰＳ衛星からの電波を受信しＧＰＳ衛星それぞれとの距離を割り出すことにより、経路案内装置１の地球上での位置（現在地の位置情報）を特定する。ＧＰＳ受信機３０は当該位置情報を、制御部１０のＧＰＳ制御部１２に送信する。
【００１７】
第１表示装置４０は、第１表示制御部１５の制御に従って画像を表示するものである。第１表示装置４０は後述する経路算出部１３が算出した、現在地から目的地までの経路検索の結果を示す情報を表示する。また、第１表示装置４０は後述する第１表示制御部１５の制御により、詳細情報を表示する。また、第２表示装置５０は、第２表示制御部１９の制御に従って画像を表示するものである。第２表示装置５０は第１表示装置４０よりも画面サイズが小さく、かつ第１表示装置４０よりも消費電力の少ない表示装置である。第２表示装置は後述する第２表示制御部１９の制御により、上記詳細情報の一部の内容を簡略に示す簡易情報を表示する。
【００１８】
ＲＡＭ６０は、各種情報を一時的に記憶するための揮発性の記憶装置である。ＲＡＭ６０は後述する経路算出部１３が算出した経路を示す情報（経路情報）を記憶する。ＲＯＭ７０は、各種情報を保存しておくための、不揮発性の記憶装置である。ＲＯＭ７０は後述する表示切替判定部１７における表示情報量の判定基準となる所定の閾値を記憶する。
【００１９】
制御部１０は、経路案内装置１を統括的に制御するものである。ここで、制御部１０が制御する経路案内装置１の具体例について、図２および３を参照して説明する。
【００２０】
≪経路案内装置の具体例≫
図２は経路案内装置１をヒト型のロボット１Ａで実現した例を示す。図示の通り、ロボット１Ａの眼球部分には第１表示装置４０であるプロジェクタ４０Ａが、腹部には第２表示装置５０である表示パネル５０Ａが搭載されている。また、ロボット１Ａの内部には表示制御装置である制御部１０（図１）が内蔵されている。ロボット１Ａは、表示制御装置を介しプロジェクタ４０Ａおよび表示パネル５０Ａを制御することで、投影面４０’および表示パネル５０Ａに画像を表示させる。一方、図３は経路案内装置１をスマートフォン１Ｂにて実現した例を示している。スマートフォン１Ｂは第１表示装置４０であるメインディスプレイ４０Ｂと、第２表示装置５０であるサブディスプレイ５０Ｂとを搭載している。図３の具体例においても図２の例と同様に、スマートフォン１Ｂに内蔵された表示制御装置がメインディスプレイ４０Ｂおよびサブディスプレイ５０Ｂに画像を表示させる。
【００２１】
制御部１０はより詳しくは、指示検出部１１と、ＧＰＳ制御部１２と、経路算出部１３と、詳細情報生成部１４と、第１表示制御部１５と、表示情報量算出部１６と、表示切替判定部１７と、簡易情報生成部１８と、第２表示制御部１９とを含む。
【００２２】
指示検出部１１は、入力部２０から取得した入力情報から、入力部２０において受け付けた入力操作が示す指示を検出する。指示検出部１１は少なくとも、目的地を指定する指示と、経路の検索を指示する指示と、経路案内の開始を指示する指示とを検出する。指示検出部１１は、目的地を指定する指示を検出した場合、経路算出部１３に対し当該指定に従い目的地を設定するよう指示する。また、指示検出部１１は、経路の検索指示を検出した場合は、ＧＰＳ制御部１２に現在地の位置情報を取得するよう指示する。また、指示検出部１１は、経路案内の開始指示を検出した場合は、表示情報量算出部１６に表示情報量を算出するよう指示する。
【００２３】
ＧＰＳ制御部１２は現在地の位置情報を取得するものである。ＧＰＳ制御部１２は指示検出部１１から指示を受けると、ＧＰＳ受信機３０を動作させて、現在地の位置情報を取得する。ＧＰＳ制御部１２は取得した現在地の位置情報を経路算出部１３に送る。なお、ＧＰＳ制御部１２は指示検出部１１から指示を受ける代わりに、所定の時間間隔でＧＰＳ受信機３０を動作させ現在地の位置情報を取得し、当該位置情報を経路算出部１３に送信してもよい。
【００２４】
経路算出部１３は、現在地から目的地までの経路を算出するものである。経路算出部１３は、指示検出部１１の指示を受けると、当該指示が示す地点を目的地として設定し、当該目的地をＲＡＭ６０に記憶させる。なおこのとき、経路算出部１３は目的地の位置情報も特定しＲＡＭ６０に記憶させておく。また、経路算出部１３は目的地を設定した状態でＧＰＳ制御部１２から現在地の位置情報を受信すると、当該現在地の位置情報と、ＲＡＭ６０に記憶させておいた目的地の位置情報とから、現在地から目的地に至る経路を算出する。経路算出部１３は経路情報をＲＡＭ６０に記憶させるとともに、詳細情報生成部１４に経路検索結果の表示情報（経路表示情報）を生成するよう指示する。なお、経路算出部１３による経路の算出には、従来ある経路算出の方法を適宜用いてよい。なお、ＲＡＭ６０に記憶された経路情報は後述する詳細情報生成部１４における詳細情報の生成、表示情報量算出部１６における表示情報量の算出、および簡易情報生成部１８における簡易情報の生成にも用いられる。そのため、経路情報は実際にはＲＡＭ６０を介して授受されるが、図１では便宜上、経路算出部１３から詳細情報生成部１４、表示情報量算出部１６、および簡易情報生成部１８に対し破線を付しデータの流れを示している。
【００２５】
詳細情報生成部１４は経路情報から経路表示情報と、詳細情報とを生成するものである。詳細情報生成部１４は経路算出部１３から指示を受けると、ＲＡＭ６０に記憶された経路情報から当該経路情報が示す経路表示情報を生成する。また詳細情報生成部１４は表示切替判定部１７から指示を受けると経路案内のための詳細な情報（詳細情報）を生成する。詳細情報生成部１４は生成した経路表示情報および詳細情報を第１表示制御部１５に送信する。なお、経路表示情報および詳細情報は地図を示す画像であることが望ましい。当該地図を第１表示制御部１５に送信し第１表示装置４０に表示させることにより、経路案内装置１のユーザは経路検索結果や目的地までの経路案内を俯瞰して確認することができる。また経路表示情報および詳細情報は、当該経路上にある駅や建物、場所の名称などを示す情報を含んでいてもよい。
【００２６】
第１表示制御部１５は、第１表示装置４０を制御するものである。第１表示制御部１５は詳細情報生成部１４から経路表示情報を受信すると、当該情報を第１表示装置４０に表示させる。また、第１表示制御部１５は詳細情報生成部１４から詳細情報を受信すると、第１表示装置４０に詳細情報を表示させる。また、第１表示制御部１５は、後述する表示切替判定部１７から第１表示装置４０の画面を非表示にする指示を受けると、当該指示に従い第１表示装置４０の画面を非表示にする（または第１表示装置４０への電源供給を停止してもよい）。なお、第１表示制御部１５は第１表示装置４０の画面を非表示にする代わりに、第１表示装置４０の画面の輝度を低下させてもよい。換言すると、第１表示制御部１５は表示切替判定部１７から上記指示を受けた場合は、第１表示装置４０の画面表示に係る消費電力が少なくなるよう第１表示装置４０を制御できればよい。
【００２７】
表示情報量算出部１６は表示情報量を算出するものである。表示情報量算出部１６は、ＲＡＭ６０に記憶された経路情報に含まれる、交通機関の乗降および乗り換え、歩行などでの移動、移動距離、ならびに方向転換する場所および方向などの経路案内の複雑さを算出する。具体的には、表示情報量算出部１６は、指示検出部１１から表示情報量を算出するよう指示されると、ＲＡＭ６０から直近または所定回数の移動動作が起こる範囲（すなわち、簡易情報で経路案内が表示される範囲）の経路情報を読み出し、その範囲の経路案内に必要な情報に基づいて、その範囲の経路案内の複雑さを示す評価値を算出する。すなわち、表示情報量算出部１６は、次に表示する簡易情報の複雑さ（表示情報量）として、上記評価値を算出しているといえる。表示情報量算出部１６は算出した簡易情報の表示情報量を表示切替判定部１７に通知する。
【００２８】
なお、上述のように、簡易情報は詳細情報の一部の内容を簡略に示す情報である。ゆえに、例えば詳細情報の複雑さと簡易情報の複雑さとは比例している可能性が高い。したがって、表示情報量算出部１６は詳細情報の複雑さを表示情報量として算出してもよい。
【００２９】
表示切替判定部１７は、表示情報量が閾値以下か否かに応じて第１表示装置４０および第２表示装置５０の画面の表示および非表示を決定するものである。表示切替判定部１７は表示情報量算出部１６から表示情報量を受信すると、ＲＯＭ７０から表示情報量の閾値を読み出し、受信した表示情報量が閾値以下か否かを判定する。表示情報量が閾値以下である場合、表示切替判定部１７は、第１表示制御部１５に第１表示装置４０への画面表示（または電源）をＯＦＦにするよう指示するとともに、簡易情報生成部１８に対し簡易情報の生成を指示する。なお、表示情報量が閾値より大きい場合、表示切替判定部１７は第１表示制御部１５および簡易情報生成部１８に上記指示を行わない。したがって、第１表示制御部１５は第１表示装置４０に詳細情報を表示させることとなる。
【００３０】
なお、経路案内を開始した場合でも表示情報量が大きい（簡易情報で経路案内が表示される範囲の経路が複雑すぎる）場合は、表示情報量が上記閾値よりも大きくなるように閾値が設定されていてもよい。これにより、上記範囲の経路が複雑すぎた場合には、第１表示装置で詳細情報を表示させることができ、経路案内時の情報の視認性を担保することができる。
【００３１】
また、ＲＯＭ７０に記憶されている表示情報量の閾値は、ユーザが自由に変更可能な値であってもよい。例えばユーザが経路案内の情報の視認性よりも、消費電力の削減に重きを置いている場合、表示情報量の閾値を高く設定しておけばよい。閾値を高く設定すると、例えば簡易情報で経路案内が表示される範囲の経路が複雑である場合でも、第２表示装置５０に簡易情報を表示させる。そのため、画面の視認性は低下するが経路案内の情報表示に係る消費電力を、簡易情報が複雑な場合でも削減することができる。一方、ユーザが経路案内時に第１表示装置４０に常に詳細情報を表示させたいと考える場合は、上記閾値を極めて低く設定しておくことにより、表示情報量が閾値以下となることを避けることができる。これにより、第１表示装置４０の画面が非表示になることを避けることができる。
【００３２】
簡易情報生成部１８は、簡易情報を生成するものである。簡易情報生成部１８は表示切替判定部１７から簡易情報の生成を指示されると、ＲＡＭ６０に記憶された経路情報を読み出し、当該経路情報から簡易情報を生成する。より具体的には、簡易情報生成部１８は、読み出した経路情報から経路案内の一部であり、現在地から目的地に向かう場合に、ユーザに直近に行わせる（誘導する）移動動作を少なくとも含む、所定回数の移動動作を示す情報を抽出し、当該情報を簡易情報とする。より具体的には、簡易情報生成部１８は、例えば右折、左折、直進などユーザに行わせる移動動作のみを抽出することにより、経路情報のうち、地図の画像や目的地の緯度経度、経路上の建物や場所の名称など、移動動作以外を示す情報を省く。換言すると、簡易情報生成部１８は経路表示情報を生成した場合は含まれることとなる上記移動動作以外の情報を省くことにより、簡易情報を生成する。簡易情報生成部１８は生成した簡易情報を第２表示制御部１９に送信する。なお、上述の通り詳細情報は経路案内の情報を含むものであるので、簡易情報は詳細情報の一部を簡略に示しているといえる。また、以降では、簡易情報が、経路案内のうちユーザに直近に行わせる移動動作を示すものとして説明を行う。
【００３３】
第２表示制御部１９は、第２表示装置５０を制御するものである。第２表示制御部１９は簡易情報生成部１８から簡易情報を受信すると、当該簡易情報を第２表示装置５０に表示させる。なお、第２表示制御部１９は、簡易情報生成部１８から簡易情報を受信していない場合（すなわち、指示検出部１１にて経路案内の開始指示が検出されていない場合、もしくは表示情報量算出部１６にて表示情報量が閾値より大きいと判定された場合）でも、何らかの情報を第２表示装置５０に表示させていてもよい。もしくは上述の場合、第２表示制御部１９は第２表示装置５０の画面を非表示にする、または第２表示装置５０の画面の輝度を低下させてもよい。
【００３４】
≪処理の流れと画面表示≫
最後に、経路案内装置１における表示制御方法と第１表示装置４０および第２表示装置５０における画面表示の変化とについて、図４および５を参照して説明する。図４は、第１表示装置４０および第２表示装置５０の画面表示の一例を示す図である。また、図５は、経路案内装置１の制御部１０における処理の流れを示すフローチャートである。
【００３５】
ユーザが入力部２０に対し、ある地点を目的地として指定する入力操作を行うと、入力部２０は当該入力操作を示す入力情報を指示検出部１１に送信する。指示検出部１１は受信した入力情報から、入力部２０が受け付けた入力操作の示す指示を検出する。目的地を指定する指示を受けたと特定した場合、指示検出部１１は、経路算出部１３に目的地の設定を行うよう指示する。経路算出部１３は当該指示を受けると、上記入力操作にて指定された地点を、経路検索を行う際の目的地として設定する（ＲＡＭ６０に記憶させる）とともに、当該目的地の位置情報を取得する。
【００３６】
経路算出部１３にて目的地が設定された状態で、当該目的地までの経路検索を指示する入力操作が行われると、指示検出部１１は入力情報から経路検索の指示を検出し（Ｓ１００）、ＧＰＳ制御部１２に現在地の位置情報を取得するよう指示する。ＧＰＳ制御部１２は当該指示を受けると、ＧＰＳ受信機３０から現在地の位置情報を取得し（Ｓ１０２）、当該位置情報を経路算出部１３に送信する。経路算出部１３は受信した現在地の位置情報と、設定された目的地の位置情報とから、現在地から目的地に至る経路を算出する（Ｓ１０４）。経路算出部１３は算出した経路を示す経路情報をＲＡＭ６０に記憶させる。詳細情報生成部１４はＲＡＭ６０から読み出した経路情報から経路表示情報を生成し（Ｓ１０６）、当該情報を第１表示制御部１５に送信する。第１表示制御部１５は受信した経路表示情報を第１表示装置４０に表示させる（Ｓ１０８）。このように、経路案内装置１は第１表示装置４０に経路表示情報を表示した状態で、ユーザからの経路案内の開始指示を待つ（Ｓ１１０）。
【００３７】
図４の（ａ）は、経路検索が完了しており、かつ経路案内の開始前（経路案内の開始指示まで待機しており、経路案内が行われていない期間）の状態の第１表示装置４０の画面（または投影面４０’）および第２表示装置５０の画面を示す図である。図４の（ａ）に示すように、経路案内の開始前（指示検出部１１がユーザの経路案内の指示を検出する前）、第１表示装置４０には経路表示情報、すなわち現在地から目的地までの経路検索結果を示す地図などが表示されている。なお、図示の通り、経路表示情報が第１表示装置４０の表示画面に収まらない場合は、第１表示装置４０の画面をスクロールさせる、または地図の縮尺を変更することにより経路検索結果が確認できるようにしてもよい。一方、第２表示装置５０は画面が非表示または何らかの情報を表示している状態である。
【００３８】
ここで、入力部２０に対し経路案内の開始を指示する入力操作が行われると（Ｓ１１０でＹＥＳ）、指示検出部１１は入力情報から当該経路案内の指示を検出し、表示情報量算出部１６に表示情報量を算出するよう指示する。表示情報量算出部１６は当該指示を受けＲＡＭ６０から読み出した経路情報から表示情報量を算出し（Ｓ１１２）、当該表示情報量を表示切替判定部１７に送信する。表示切替判定部１７は受信した表示情報量が閾値以下か否かを判定する（Ｓ１１４）。
【００３９】
表示情報量が閾値以下の場合（Ｓ１１４でＹＥＳ）、表示切替判定部１７は第１表示制御部１５に第１表示装置４０の画面を非表示にするよう指示するとともに、簡易情報生成部１８に対し簡易情報の生成を指示する。第１表示制御部１５は表示切替判定部１７から指示を受けると、第１表示装置４０の画面表示（または電源）をＯＦＦにする（Ｓ１１６、第１表示制御ステップ）。また簡易情報生成部１８は表示切替判定部１７から指示を受けると、ＲＡＭ６０から経路情報を読み出し、当該経路情報から簡易情報を生成し（Ｓ１１８）、第２表示制御部１９に送る。第２表示制御部１９は簡易情報を第２表示装置５０に表示させる（Ｓ１２０、第２表示制御ステップ）。
【００４０】
図４の（ｂ）は、経路案内を開始し、かつ表示情報量が閾値以下である場合の第１表示装置４０の画面（投影面４０’）および第２表示装置５０の画面を示す。図示の通り、経路案内を開始し、かつ表示情報量が閾値以下である場合、第１表示装置４０の画面は非表示にされ、第２表示装置５０において簡易情報（同図の例の場合、目的地までの直近の移動動作である「５００ｍ先を右折する」という情報）が表示される。
【００４１】
なお、表示切替判定部１７は、表示情報量が閾値よりも大きいと判定した場合（Ｓ１１４でＮＯ）、詳細情報生成部１４に詳細情報を生成するよう指示する。詳細情報生成部１４はＲＡＭ６０から読み出した経路情報から詳細情報を生成し（Ｓ１２２）、当該詳細情報を第１表示制御部１５に送信する。そして、第１表示制御部１５は詳細情報を第１表示装置４０に表示させる（Ｓ１２４）。例えば、経路案内を開始したが、当該経路案内において提示すべき直近の経路が複雑であった場合などに（例えば多くの分かれ道の中の１本の道を選択させるなど、直近の移動動作に限っても経路案内が複雑になる場合）、算出される表示情報量が閾値よりも大きくなるので、第１表示装置４０が詳細情報を表示することとなる。
【００４２】
なお、本実施形態において、Ｓ１１２およびＳ１１４の処理は必須ではない。すなわち、本実施形態に係る経路案内装置１の制御部１０は、表示情報量算出部１６を備えていなくてもよい。この場合、指示検出部１１は経路案内の開始を検出した場合、表示切替判定部１７に経路案内の開始を通知し、表示切替判定部１７は当該通知を受けた場合、第１表示制御部１５に第１表示装置４０の画面を非表示にするよう指示し、簡易情報生成部１８に簡易情報を生成するよう指示すればよい。つまり、経路案内を開始するときは、必ず第２表示装置５０に簡易情報を表示させるようにしてもよい。
【００４３】
経路案内が開始されたとき、ユーザは目的地へ向かうための移動動作を行うため、経路の一部（部分的な経路案内、例えば直近の曲がり角と曲がる方向など）を知る必要はあるが、経路全体（目的地までの全ての道案内）は必ずしも知る必要はない。ここで、第２表示装置５０は第１表示装置４０に比べ小画面であるので、第１表示装置４０が表示する詳細情報の全てを視認性よく表示できるとは限らないが、第１表示装置４０に比べ消費電力が少ない表示装置である。そして、表示情報量が閾値以下の場合、第２表示装置５０は小画面であっても必要十分な程度に視認性よく簡易情報を表示することができるといえる。
【００４４】
したがって、経路案内が開始されたときで表示情報量が閾値以下である場合、消費電力の多い第１表示装置の画面を非表示にし、消費電力の少ない第２表示装置に詳細情報よりも情報量の少ない簡易情報を表示させることにより、経路案内におけるユーザの利便性を損なわずに消費電力を抑制することができる。
【００４５】
〔実施形態２〕
本発明の第２の実施形態について、図６〜図８を用いて説明する。なお、説明の便宜上、前記実施形態にて説明した部材と同じ機能を有する部材については、同じ符号を付記し、その説明を省略する。
【００４６】
≪要部構成≫
図６は、本実施形態に係る経路案内装置２の要部構成を示すブロック図である。経路案内装置２は表示切替判定部８２と、視覚センサ８０と、制御部（表示制御装置）９０の視覚センサ制御部８１とを備える点で、実施形態１に係る経路案内装置１と異なる。
【００４７】
視覚センサ８０は、ユーザの視線を検知するセンサである。視覚センサ８０は視覚センサ制御部８１の制御に従って動作し、第２表示装置５０にユーザの視線が向けられた場合、ユーザの視線を検知する。視覚センサ８０は視線を検知するとその旨を検知結果として視覚センサ制御部８１に送信する。視覚センサ制御部８１は、視覚センサ８０の検知結果を取得し、当該検知結果からユーザが第２表示装置５０を見ているか否かを判定するものである。視覚センサ制御部８１は後述する表示切替判定部８２の指示に従い、視覚センサ８０から検知結果を取得し、当該検知結果から上記判定を行う。視覚センサ制御部８１は判定結果を表示切替判定部８２に送信する。
【００４８】
表示切替判定部８２は、表示情報量が閾値以下である場合、第１表示制御部１５に第１表示装置４０の画面表示（または電源）をＯＦＦにするよう指示するとともに、視覚センサ制御部８１にユーザが第２表示装置５０を見ているか判定するよう指示する。そして、表示切替判定部８２は、視覚センサ制御部８１から受信した判定結果が、ユーザが第２表示装置５０を見ていることを示す場合は、簡易情報生成部１８に対し簡易情報の生成を指示する。
【００４９】
≪処理の流れと画面表示≫
次に、経路案内装置２における表示制御方法と第１表示装置４０および第２表示装置５０における画面表示の変化とについて、図７〜８を参照して説明する。図７は、第１表示装置４０および第２表示装置５０の画面表示の一例を示す図である。また、図８は、経路案内装置２の制御部９０における処理の流れを示すフローチャートである。なお、図８の各ステップのうち、図５にて説明したステップと同じ処理を行うステップについては同じ番号を付し、その説明を省略する。
【００５０】
本実施形態に係る経路案内装置２の制御部９０は、Ｓ２００の処理を行う点で実施形態１に係る経路案内装置１の制御部１０と異なる。図７の（ａ）は、経路検索が完了しており、かつ経路案内の開始前の（経路案内の開始指示まで待機している）状態の第１表示装置４０の画面（または投影面４０’）および第２表示装置５０の画面を示す図である。図４の（ａ）と同様に、図７の（ａ）でも第１表示装置４０に経路表示情報が表示されている。
【００５１】
ここで、指示検出部１１は経路案内の開始指示を検出すると、図５と同様、表示情報量算出部１６による表示情報量の算出（Ｓ１１２）および表示切替判定部８２による表示情報量と閾値との比較判定が行われる（Ｓ１１４）。表示情報量が閾値以下の場合（Ｓ１１４でＹＥＳ）、表示切替判定部８２は第１表示制御部１５に第１表示装置４０の画面を非表示にするよう指示するとともに、視覚センサ制御部８１にユーザが第２表示装置５０を見ているか否か判定するよう指示する。第１表示制御部１５は表示切替判定部８２から指示を受けると、第１表示装置４０の画面を非表示にする（Ｓ１１６）。また、視覚センサ制御部８１は視覚センサ８０の検知結果から上記判定を行い（Ｓ２００）、判定結果を表示切替判定部８２に送る。
【００５２】
ユーザが第２表示装置５０を見ている場合（Ｓ２００でＹＥＳ）、表示切替判定部８２は、視覚センサ制御部８１から判定結果を受信し、該判定結果に従って簡易情報生成部１８に対し簡易情報の生成を指示する。そして、簡易情報生成部１８は当該指示を受けると簡易情報を生成し（Ｓ１１８）、第２表示制御部１９に送る。第２表示制御部１９は受信した簡易情報を第２表示装置５０に表示させる（Ｓ１２０）。図７の（ｂ）は、経路案内の開始後で、ユーザが第２表示装置５０を見ていると判定された場合の第１表示装置４０（投影面４０’）および第２表示装置５０の画面を示している。図示の通り、第１表示装置４０の画面は非表示にされる一方、第２表示装置５０は簡易情報を表示する。
【００５３】
一方、第２表示装置５０を見ていないと判定された場合（Ｓ２００でＮＯ）、表示切替判定部８２が視覚センサ制御部８１からユーザが第２表示装置５０を見ていることを示す判定結果を受信しないため、上記簡易情報の生成および表示は行われない。図７の（ｃ）は、経路案内の開始後、かつユーザが第２表示装置５０を見ていないと判定された場合の第１表示装置４０（投影面４０’）および第２表示装置５０の画面を示している。図示の通り、第１表示装置４０の画面は非表示にされる一方、第２表示装置５０の表示は図７の（ａ）から変更されない。換言すると、第２表示装置５０は簡易情報を表示しない。
【００５４】
上記の処理によると、経路案内装置２の制御部９０は、経路案内が開始され（表示情報量が閾値以下で）、かつ、ユーザが第２表示装置を見ている場合のみ第２表示装置５０に簡易情報を表示させる。換言すると、制御部９０は、ユーザが第２表示装置を見ていない場合は、簡易情報の生成および表示を行わなくてよく、ゆえに当該簡易情報の生成および表示に係る消費電力を削減することができる。
【００５５】
〔実施形態３〕
制御部１０および制御部９０の制御ブロック（特に詳細情報生成部１４、第１表示制御部１５、表示情報量算出部１６、表示切替判定部１７、簡易情報生成部１８、および第２表示制御部１９）は、集積回路（ＩＣチップ）等に形成された論理回路（ハードウェア）によって実現してもよいし、ＣＰＵ（Central Processing Unit）を用いてソフトウェアによって実現してもよい。
【００５６】
後者の場合、制御部１０および制御部９０は、各機能を実現するソフトウェアであるプログラム（制御プログラム）の命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５７】
また、制御部１０および制御部９０の各制御ブロック（特に詳細情報生成部１４、第１表示制御部１５、表示情報量算出部１６、表示切替判定部１７、簡易情報生成部１８、および第２表示制御部１９）は、表示制御装置内で実現されても良いし、その一部、または、全てが外部のサーバーにおいて実現されても良い。
【００５８】
〔変形例〕
上記各実施形態では、第１表示装置４０と第２表示装置５０は経路案内装置１または２と一体に構成された装置であることとした。しかしながら、第１表示装置４０および第２表示装置５０は、経路案内装置１または２（制御部１０または９０）により画面の表示および非表示を制御可能であり、かつ詳細情報および簡易情報を経路案内装置１または２から受信し表示することが可能であれば、経路案内装置１または２と別個の表示装置であってもよい。
【００５９】
さらに言えば、上記各実施形態では、第１表示装置４０と第２表示装置５０は経路案内装置１または２に含まれているので、同じように供給電力の制御が行われる。しかしながら、第１表示装置４０および第２表示装置５０は、異なる電源から電力を供給されていても構わない。例えば、第１表示装置４０は経路案内装置１または２自体の電源と共用の交流電流にて駆動し、第２表示装置５０は第２表示装置５０自体に内蔵された電池から電力を供給されてもよい。そして、第２表示装置５０の電力が電池のように有限の供給源から供給されている場合、第２表示装置５０が第１表示装置４０よりも小画面および／または消費電力が少なくても、電池残量が所定値以下になるなど、供給可能な電力量が少なくなってきた場合は第２表示装置５０による簡易情報の表示を行わず、第１表示装置４０に詳細情報を表示させ続けてもよい。
【００６０】
また、上記実施形態において、経路案内装置１または２はＧＰＳ受信機３０を用いて現在地の位置情報を取得する。しかしながら、経路案内装置１および２は、ＧＰＳ受信機３０を用いて現在地の位置情報を取得する代わりに、ユーザに目的地の指定と同様に、現在地に係る情報（住所、駅名、施設名など）を、入力部２０を介して入力させ、当該情報から現在地および現在地の位置情報を特定してもよい。
【００６１】
〔まとめ〕
本発明の態様１に係る表示制御装置（制御部１０または制御部９０）は、現在地から目的地へ至る経路を表示装置に表示させる表示制御装置であって、上記経路の経路案内の詳細情報を表示する第１表示装置（第１表示装置４０）の画面を非表示にする第１表示制御部（第１表示制御部１５）と、上記第１表示装置の画面が非表示であるときに、上記第１表示装置よりも消費電力の少ない第２表示装置（第２表示装置５０）に、上記詳細情報の一部の内容を簡略に示す簡易情報を表示させる第２表示制御部（第２表示制御部１９）と、を備えることを特徴としている。
【００６２】
上記の構成によると、例えば経路案内が開始された場合などに、第１表示制御部は第１表示装置の画面を非表示にし、第１表示装置の画面が非表示になると、第２表示制御部は第２表示装置に簡易情報を表示させる。ここで、経路案内とは、現在地から目的地に到着するために必要な移動動作を順次提示することによりユーザを目的地に誘導することを意味する。
【００６３】
そして、表示制御装置は、例えばユーザに経路自体を選択させる際には当該経路全体を表示部に表示させる必要がある一方、例えば経路選択後（経路案内の開始後）は現在地付近の経路を表示させることができればよく、必ずしも経路全体を表示させなくてもよい。
【００６４】
ここで、第２表示装置は第１表示装置に比べ消費電力の少ない表示装置である。そのため、例えば経路案内を開始した場合など、経路全体を表示させなくてもよい場合に消費電力の多い第１表示装置の画面を非表示にし、第１表示装置よりも消費電力の少ない第２表示装置に詳細情報よりも情報量の少ない簡易情報を表示させることにより、表示制御装置はユーザの利便性を損なわずに消費電力を抑制することができる。
【００６５】
本発明の態様２に係る表示制御装置（制御部１０または制御部９０）は、現在地から目的地へ至る経路を表示装置に表示させる表示制御装置であって、上記経路の経路案内の表示情報量が所定の閾値未満である場合、当該経路案内の詳細情報を表示する第１表示装置（第１表示装置４０）の画面を非表示にする第１表示制御部（第１表示制御部１５）と、上記表示情報量が所定の閾値未満である場合、上記第１表示装置よりも消費電力の少ない第２表示装置（第２表示装置５０）に、上記詳細情報の一部の内容を簡略に示す簡易情報を表示させる第２表示制御部（第２表示制御部１９）と、を備えることを特徴としている。
【００６６】
上記の構成によると、表示情報量が閾値以下である場合、第１表示制御部は第１表示装置の画面を非表示にし、第２表示制御部は第２表示装置に簡易情報を表示させる。ここで、表示情報量とは、簡易情報または詳細情報の複雑さを示している。表示情報量が簡易情報の複雑さを示すとき、表示情報量が閾値以下の場合、第２表示装置は小画面であっても必要十分な程度に視認性よく簡易情報を表示することができるといえる。したがって、表示情報量が閾値以下である場合、消費電力の多い第１表示装置の画面を非表示にし、第１表示装置よりも消費電力の少ない第２表示装置に詳細情報よりも情報量の少ない簡易情報を表示させることにより、経路案内におけるユーザの利便性を損なわずに消費電力を抑制することができる。
【００６７】
また、表示情報量が詳細情報の複雑さを示している場合でも、上述の効果と同様の効果が得られる。これは、簡易情報が詳細情報の一部の内容を簡略に示す情報であるため、詳細情報の複雑さが低い場合は、簡易情報の複雑さも低い可能性が高いからである。
【００６８】
本発明の態様３に係る表示制御装置（制御部１０または制御部９０）は、現在地から目的地へ至る経路を表示装置に表示させる表示制御装置であって、上記経路の経路案内の詳細情報を表示する第１表示装置（第１表示装置４０）の画面を非表示にする第１表示制御部（第１表示制御部１５）と、上記第１表示装置の画面が非表示であるときに、上記第１表示装置よりも小画面の第２表示装置（第２表示装置５０）に、上記詳細情報の一部の内容を簡略に示す簡易情報を表示させる第２表示制御部（第２表示制御部１９）と、を備えることを特徴としている。
【００６９】
上記の構成によると、例えば経路案内が開始された場合などに、第１表示制御部は第１表示装置の画面を非表示にし、第１表示装置の画面が非表示になると、第２表示制御部は第２表示装置に簡易情報を表示させる。
【００７０】
表示制御装置は、例えばユーザに経路自体を選択させる際には当該経路全体を表示部に表示させる必要がある一方、例えば経路選択後（経路案内の開始後）は現在地付近の経路を表示させることができればよく、必ずしも経路全体を表示させなくてもよい。なお、経路案内とは、現在地から目的地に到着するために必要な移動動作を順次提示することによりユーザを目的地に誘導することを示す。
【００７１】
ここで、第２表示装置は第１表示装置に比べ小画面な表示装置である。そのため、第２表示装置は第１表示装置が表示する情報の全てを視認性よく表示できるとは限らないが、第１表示装置に比べ消費電力が少ないことが多い。これは、一般的に表示装置は、同程度の解像度であれば表示画面が小画面であるほど消費電力が少ないからである。
【００７２】
以上のことから、例えば経路案内を開始した場合など、経路全体を表示させなくてもよい場合に第１表示装置の画面を非表示にし、第１表示装置よりも小画面である第２表示装置に詳細情報よりも情報量の少ない簡易情報を表示させることにより、表示制御装置はユーザの利便性を損なわずに消費電力を抑制することができる。
【００７３】
本発明の態様４に係る表示制御装置（制御部１０または制御部９０）は、現在地から目的地へ至る経路を表示装置に表示させる表示制御装置であって、上記経路の経路案内の表示情報量が所定の閾値未満である場合、当該経路案内の詳細情報を表示する第１表示装置（第１表示装置４０）の画面を非表示にする第１表示制御部（第１表示制御部１５）と、上記表示情報量が所定の閾値未満である場合、上記第１表示装置よりも小画面の第２表示装置（第２表示装置５０）に、上記詳細情報の一部の内容を簡略に示す簡易情報を表示させる第２表示制御部（第２表示制御部１９）と、を備えることを特徴としている。
【００７４】
上記の構成によると、表示情報量が閾値以下である場合、第１表示制御部は第１表示装置の画面を非表示にし、第２表示制御部は第２表示装置に簡易情報を表示させる。ここで、表示情報量とは、簡易情報または詳細情報の複雑さを示している。表示情報量が簡易情報の複雑さを示すとき、表示情報量が閾値以下の場合、第２表示装置は小画面であっても必要十分な程度に視認性よく簡易情報を表示することができるといえる。一般的に表示装置は、同程度の解像度であれば表示画面が小画面であるほど消費電力が少ない。したがって、表示情報量が閾値以下である場合、第１表示装置の画面を非表示にし、第１表示装置よりも小画面である第２表示装置に詳細情報よりも情報量の少ない簡易情報を表示させることにより、経路案内におけるユーザの利便性を損なわずに消費電力を抑制することができる。
【００７５】
また、表示情報量が詳細情報の複雑さを示している場合でも、上述の効果と同様の効果が得られる。これは、簡易情報が詳細情報の一部の内容を簡略に示す情報であるため、詳細情報の複雑さが低い場合は、簡易情報の複雑さも低い可能性が高いからである。
【００７６】
本発明の態様５に係る表示制御装置は、上記態様２または４において、上記第１表示制御部は、上記表示情報量が上記所定の閾値以上である場合、上記第１表示装置に上記経路案内の詳細情報を表示させることを特徴としている。
【００７７】
上記の構成によると、経路案内を開始したが経路案内が複雑であった場合、すなわち簡易情報にしても情報量が第２表示装置で表示するには多すぎる場合には、大画面である第１表示装置に詳細情報を表示させる。これにより、経路案内におけるユーザの利便性（画面の視認性）を担保することができる。
【００７８】
本発明の態様６に係る表示制御装置は、上記態様１〜５のいずれかにおいて、上記簡易情報は、上記経路案内のうち、目的地に向かうための移動動作のみを示す情報であることを特徴としている。
【００７９】
経路案内が開始される場合、ユーザは最低限、現在地から目的地に到着するために必要な移動動作を順次知ることができればよい。ゆえに、第２表示装置に簡易情報として目的地に向かうための移動動作のみを表示させることにより、経路案内においてユーザに最低限必要な情報を提示しつつ、消費電力を抑制することができる。
【００８０】
本発明の態様７に係る表示制御装置は、上記態様１〜６のいずれかにおいて、上記第２表示制御部は、上記経路案内が行われていない期間は、上記第２表示装置の画面を非表示にすることを特徴としている。
【００８１】
上記の構成によれば、経路案内が行われていない期間、第２表示装置の画面は非表示の状態である。これにより、経路案内が行われていない期間における第２表示装置の画面表示に係る消費電力を削減することができる。
【００８２】
本発明の態様８に係る情報処理装置（経路案内装置１または２）は、上記態様１〜７のいずれか１態様に係る表示制御装置と、上記第１表示装置と、上記第２表示装置と、を含むことを特徴としている。上記の構成によれば、上記表示制御装置と同様の効果を奏する。
【００８３】
本発明の態様９に係る表示制御方法は、現在地から目的地へ至る経路を表示装置に表示させる表示制御装置（制御部１０または制御部９０）の表示制御方法であって、上記経路の経路案内の詳細情報を表示する第１表示装置（第１表示装置４０）の画面を非表示にする第１表示制御ステップ（Ｓ１１６）と、上記第１表示装置の画面が非表示であるときに、上記第１表示装置よりも消費電力の少ない第２表示装置（第２表示装置５０）に、上記詳細情報の一部の内容を簡略に示す簡易情報を表示させる第２表示制御ステップ（Ｓ１２０）と、を含むことを特徴としている。上記の構成によれば、上記態様１に係る表示制御装置と同様の効果を奏する。
【００８４】
本発明の態様１０に係る表示制御方法は、現在地から目的地へ至る経路を表示装置に表示させる表示制御装置（制御部１０または制御部９０）の表示制御方法であって、上記経路の経路案内の表示情報量が所定の閾値未満である場合、当該経路案内の詳細情報を表示する第１表示装置（第１表示装置４０）の画面を非表示にする第１表示制御ステップ（Ｓ１１６）と、上記表示情報量が所定の閾値未満である場合、上記第１表示装置よりも消費電力の少ない第２表示装置（第２表示装置５０）に、上記詳細情報の一部の内容を簡略に示す簡易情報を表示させる第２表示制御ステップ（Ｓ１２０）と、を含むことを特徴としている。上記の構成によれば、上記態様２に係る表示制御装置と同様の効果を奏する。
【００８５】
本発明の態様１１に係る表示制御方法は、現在地から目的地へ至る経路を表示装置に表示させる表示制御装置（制御部１０または制御部９０）の表示制御方法であって、上記経路の経路案内の詳細情報を表示する第１表示装置（第１表示装置４０）の画面を非表示にする第１表示制御ステップ（Ｓ１１６）と、上記第１表示装置の画面が非表示であるときに、上記第１表示装置よりも小画面の第２表示装置（第２表示装置５０）に、上記詳細情報の一部の内容を簡略に示す簡易情報を表示させる第２表示制御ステップ（Ｓ１２０）と、を含むことを特徴としている。上記の構成によれば、上記態様３に係る表示制御装置と同様の効果を奏する。
【００８６】
本発明の態様１２に係る表示制御方法は、現在地から目的地へ至る経路を表示装置に表示させる表示制御装置（制御部１０または制御部９０）の表示制御方法であって、上記経路の経路案内の表示情報量が所定の閾値未満である場合、当該経路案内の詳細情報を表示する第１表示装置（第１表示装置４０）の画面を非表示にする第１表示制御ステップ（Ｓ１１６）と、上記表示情報量が所定の閾値未満である場合、上記第１表示装置よりも小画面の第２表示装置（第２表示装置５０）に、上記詳細情報の一部の内容を簡略に示す簡易情報を表示させる第２表示制御ステップ（Ｓ１２０）と、を含むことを特徴としている。上記の構成によれば、上記態様４に係る表示制御装置と同様の効果を奏する。
【００８７】
本発明の各態様に係る表示制御装置は、コンピュータによって実現してもよく、この場合には、コンピュータを上記表示制御装置が備える各部（ソフトウェア要素）として動作させることにより上記表示制御装置をコンピュータにて実現させる表示制御装置の制御プログラム、およびそれを記録したコンピュータ読み取り可能な記録媒体も、本発明の範疇に入る。
【００８８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８９】
本発明は、ユーザに目的地までの経路を案内する経路案内装置の表示制御装置に好適に利用することができる。
【符号の説明】
【００９０】
１、２  経路案内装置（情報処理装置）、１０、９０  制御部（表示制御装置）、４０  第１表示装置、５０  第２表示装置、１５  第１表示制御部、１９  第２表示制御部 
【図１】
0006663648.tif 000002
【図２】
0006663648.tif 000003
【図３】
0006663648.tif 000004
【図４】
0006663648.tif 000005
【図５】
0006663648.tif 000006
【図６】
0006663648.tif 000007
【図７】
0006663648.tif 000008
【図８】
0006663648.tif 000009